(57)【特許請求の範囲】
【請求項１】
針基、針鞘、チューブ、および針管を含み、使用前は前記針鞘で前記針管を被覆し、前記チューブが前記針基に連通する使い捨て針刺し防止静脈輸液用穿刺針であって、
複数のスライダおよび複数の位置留めをさらに含み、前記針基は筒状であり、前記針基の一端が前記針管に連通するように固定され、他端が前記チューブに接続され、
前記複数のスライダは両端が開口した筒状で、互いに嵌挿され、最内層に位置する前記スライダが前記針基に移動可能に被さり、前記複数のスライダの移動方向における全長が前記針管の長さより長く、
前記位置留めは、前記複数のスライダおよび前記針基に設けられ、前記使い捨て針刺し防止静脈輸液用穿刺針の使用後は、前記複数のスライダがスライドして前記針管を完全に遮蔽するように展開した後に、最内層の前記スライダを前記針基に固定し、かつ前記複数のスライダ同士を互いに固定させ、
前記針基の外側に移動可能に嵌挿された第１のスライダと、前記第１のスライダの外側に移動可能に嵌挿された第２のスライダとを含み、
前記位置留めは、２つの弾性係止部および４つの係止溝を含み、
２つの前記係止溝が前記針基に設けられ、１つの前記弾性係止部が前記第１のスライダに設けられ、前記第１のスライダの外周にも２つの前記係止溝が設けられ、前記第２のスライダにも一つの前記弾性係止部が設けられ、前記弾性係止部と前記係止溝は、前記第１のスライダと前記第２のスライダがスライドして前記針管を完全に遮蔽するかまたは前記針管が完全に露出した場合に、互いに係合して前記第１のスライダと前記第２のスライダの移動を抑止し、
前記第２のスライダの前記チューブ側の一端に滑らかな突出部が円周状に設けられること
を特徴とする使い捨て針刺し防止静脈輸液用穿刺針。
【請求項２】
前記第１のスライダにさらに弾性ストッパが設けられ、前記弾性ストッパは、前記第１のスライダおよび前記第２のスライダがスライドして前記針管を完全に遮蔽した場合に、弾き出て前記第２のスライダが前記チューブの方向へ後退することを抑止することを特徴とする請求項１に記載の使い捨て針刺し防止静脈輸液用穿刺針。
【請求項３】
前記第２のスライダの側面に平滑面が設けられ、前記平滑面と前記針管の軸心線は５°〜２０°の角度をなすこと
を特徴とする請求項１に記載の使い捨て針刺し防止静脈輸液用穿刺針。
【請求項４】
前記第２のスライダの前記平滑面側に切り欠きが設けられ、前記切り欠きが含まれる平面は前記針管の軸心線と平行であり、
前記切り欠きの一端が前記第２のスライダの前記チューブから遠い方の開口まで延伸し、他端が前記平滑面と交差するまで延伸すること
を特徴とする請求項３に記載の使い捨て針刺し防止静脈輸液用穿刺針。
【請求項５】
前記切り欠きが含まれる平面と前記針管の軸心線との距離は約０．５ｍｍであること
を特徴とする請求項４に記載の使い捨て針刺し防止静脈輸液用穿刺針。
【請求項６】
ハンドルをさらに具備し、前記第２のスライダに少なくとも１つの滑り止め領域が設けられ、
前記スライダは弾性材料でできており、前記スライダと前記弾性係止部は一体成形され、前記針基と前記係止溝は一体成形され、
前記ハンドルは、前記針基の前記チューブに接続される方の端に固定され、
前記位置留めは、前記第１のスライダまたは前記針基に円周状に設けられた少なくとも１つのストッパをさらに含み、前記ストッパは、前記係止溝と前記弾性係止部が係合した後、前記第１のスライダ、前記第２のスライダが、引張力の作用が働いたときに離脱することを防止する
ことを特徴とする請求項１〜５のいずれか一項に記載の使い捨て針刺し防止静脈輸液用穿刺針。
【発明の詳細な説明】
【技術分野】
【０００１】
本願は、出願日が２０１４年１０月２４日の中国特許出願番号２０１４１０５７７６４４．７の優先権を主張する。本願は上記中国特許出願の全文を引用する。
【０００２】
本発明は静脈針に関し、特に使い捨て針刺し防止静脈輸液用穿刺針に関する。
【背景技術】
【０００３】
現在、一般的な使い捨て静脈針は、使用前に、例えば針管の曲がりまたは衝撃などを防止するために、針管を針鞘で被覆することにより針管を保護する必要がある。使用時には、この針鞘を抜き取る時に針を刺しやすいが、真の危険は、輸液完了後の後処理段階にあり、輸液を受けた患者の体内から抜いた後、廃棄処理を行う時、専用の処理箱に入れたり針鞘で被覆したりしていても針を刺しやすく、医療従事者に感染するなどの深刻な結果をもたらす危険がある。
【０００４】
この欠点に対処して、ある静脈針は伸縮式針管と言う技術的手段を用いて、輸液完了後、バネ等の弾性体の構造を利用して、針管を針管保護用の保護針鞘等の構造内に収縮させる。このようにすると、針管を効果的に保護し、医療従事者が刺されることを回避できるが、針管が収縮する機械的動きにより患者に多大な苦痛を与える場合がある。
【０００５】
一方、伸縮式針管が収縮する時、伸縮可能な機械的構造に常に隙間が存在しているので、この隙間に皮膚を挟んで患者にさらなる苦痛を与えるおそれがある。
【発明の概要】
【発明が解決しようとする課題】
【０００６】
本発明の解決しようとする技術的課題は、従来の技術における静脈針の安全上の問題と、機械的動きが患者に苦痛を与えるという欠点とを解消し、安全性がより高く、機械的動きによる苦痛がより小さい使い捨て針刺し防止静脈輸液用穿刺針を提供することである。
【課題を解決するための手段】
【０００７】
本発明は、下記技術手段により上記技術的課題を解決する。
【０００８】
使い捨て針刺し防止静脈輸液用穿刺針は、針基、針鞘、チューブ、および針管を含み、前記針鞘で前記針管を被覆し、前記チューブが前記針基に連通する使い捨て針刺し防止静脈輸液用穿刺針であって、複数のスライダおよび複数の位置留めをさらに含み、前記針基は筒状であり、前記針基の一端が前記針管に連通するように固定され、他端が前記チューブに接続され、
前記複数のスライダは両端が開口した筒状であり、前記複数のスライダが互いに嵌挿され、最内層に位置する前記スライダが前記針基に移動可能に被さり、前記複数のスライダの移動方向における全長が前記針管の長さより長く、
前記位置留めは、前記複数のスライダおよび前記針基に設けられ、前記複数のスライダがスライドして前記針管を完全に遮蔽するように展開した後に、最内層の前記スライダを前記針基に固定し、かつ前記複数のスライダ同士を互いに固定する。
【０００９】
ここで、前記チューブは、当分野で輸血、輸液などに用いられる一般的な柔軟性のある管である。すなわち、使用前に、複数のスライダは針基の外側に積層して被さり収縮状態にある。このとき、針管が外部に露出しているが、針鞘で針管を被覆することにより針管を遮蔽することができる。使用時に、針鞘を取り外して輸血などの作業を行い、作業の完了後、針管を抜く過程で、複数の筒状のスライダをスライドして展開した後、スライダおよび針基に設けられた位置留めにより端と端を接続するように固定するとともに、針管を遮蔽して針管による操作者または患者の受傷を回避する。このように、針管を抜く時に、安全性を保証するとともに、従来の技術における針管の急な跳ね返りによる苦痛を回避する。
【００１０】
また、静脈針の操作部位の長さ（つまりチューブ部分を除いた針基などの部品の長さ）は、少なくとも針基に針管を加えた長さであるべきであるが、針管の長さは、一般的に標準的で変更できないものであるので、針基の長さの設計は静脈針の操作部位の長さを決めるキーポイントとなる。本発明において、複数のスライダが多重に嵌挿する構造を採用するので、収縮状態の場合（つまり針管が完全に露出した場合）、１つだけのスライダを採用することに比べて、複数のスライダの多重嵌挿構造は、針基の設計長さを明らかに短縮することができる。
【００１１】
好ましくは、前記使い捨て針刺し防止静脈輸液用穿刺針は、前記針基の外側に移動可能に嵌挿された第１のスライダと、前記第１のスライダの外側に移動可能に嵌挿された第２のスライダとを含む。
【００１２】
好ましくは、前記位置留めは、１つの第１の弾性ワッシャと、２つの第２の弾性ワッシャと、２つの第３の弾性ワッシャとを含み、
前記第１の弾性ワッシャは、前記第１のスライダの前記チューブ側の一端の内周に貼設され、かつその縁部が前記第１のスライダの内壁と滑らかに貼合され、
２つの前記第２の弾性ワッシャは、前記針基に嵌合され、かつ貼設され、前記第１のスライダおよび前記第２のスライダがスライドして、前記針管を完全に遮蔽するか、または前記針管が完全に露出したときに、前記第１の弾性ワッシャと係合して前記第１のスライダの移動を抑止し、
前記２つの第３の弾性ワッシャは、それぞれ前記第１のスライダの前記チューブから遠い方の一端の外周と前記第２のスライダの前記チューブ側の内周に設けられ、前記第１のスライダおよび前記第２のスライダがスライドして、前記針管を完全に遮蔽するか、または前記針管が完全に露出したときに、互いに係合して前記第２のスライダの移動を抑止する。
【００１３】
好ましくは、前記位置留めは、２つの弾性係止部及び４つの係止溝を含み、
２つの前記係止溝が前記針基に設けられ、１つの前記弾性係止部が前記第１のスライダに設けられ、前記第１のスライダの外周にも２つの前記係止溝が設けられ、前記第２のスライダにも１つの前記弾性係止部が設けられ、前記弾性係止部と前記係止溝は、前記第１のスライダと前記第２のスライダが前記針管を完全に遮蔽するかまたは前記針管が完全に露出するようにスライドした場合に、互いに係合して前記第１のスライダと前記第２のスライダの移動を抑止する。
【００１４】
好ましくは、前記第１のスライダにさらに弾性ストッパが設けられ、前記弾性ストッパは、前記第１のスライダおよび前記第２のスライダがスライドして前記針管を完全に遮蔽した場合に、弾き出て前記第２のスライダが前記チューブの方向へ後退することを抑止する。
【００１５】
ここで、第１のスライダおよび第２のスライダを展開した後、針管が露出しないように遮蔽されることを保証する必要があるので、それらの間の係合の安定性は静脈針の使用上の安全性に直結する。そのため、第１のスライダの外周に、外に弾き出る弾性ストッパが設けられ、第２のスライダが第１のスライダに沿って所定の位置まで展開した後、弾性ストッパが外に弾き出て、第２のスライダがスライドして戻ろうとしても、弾性ストッパは、第２のスライダの縁部などの部位に当接することにより、第２のスライダは、スライドして戻ることができない。
【００１６】
好ましくは、前記第２のスライダの前記チューブ側の一端に滑らかな突出部が環状に設けられる。該突出部は、前記針管を人体に差し込む場合に、皮膚が前記第１のスライダと前記第２のスライダとの隙間に挟まれることを防止する。
【００１７】
ここで、スライダと針基はスライド可能に嵌合されるので、スライダ同士の間、スライダと針基との間に必ず隙間が存在する。これらの隙間は、操作過程でよく患者の皮膚を挟んで、患者に苦痛を与える。突出部が設けられると、突出部は操作中に患者の皮膚に当接して、皮膚に僅かな窪みを形成するので、突出部に接触する部位の回りの皮膚が第１のスライダと第２のスライダと針基との隙間付き接合部に接触することを回避して、皮膚が隙間に挟まれにくくなる。
【００１８】
好ましくは、前記第２のスライダの側面に平滑面が設けられ、前記平滑面と前記針管の軸心線は５°〜２０°の角度をなす。
【００１９】
好ましくは、前記第２のスライダの前記平滑面側に切り欠きが設けられ、前記切り欠きが存在する平面は前記針管の軸心線と平行であり、
前記切り欠きの一端が前記第２のスライダの前記チューブから遠い方の開口まで延伸し、他端が前記平滑面と交差するまで延伸する。
【００２０】
ここで、第１のスライダ、第２のスライダを展開する過程で、針管をできるだけ患者の皮膚へ接近させる必要があるので、第１のスライダ、第２のスライダの直径が大きすぎると、要件を満たすことができない。そのため、第２のスライダに平滑面を設けることにより、第１のスライダ、第２のスライダの展開しているときでも針管を皮膚に接近させることができる。該平滑面の針管の軸心線近傍の位置に切り欠きを開設することにより、針管が皮膚に接近するという要件をさらに満たし、患者の苦痛を軽減することができる。また、操作完了時または完了後に、針管による操作者等の刺し誤りを防止するためには、針管と切り欠きとの距離が近すぎてはいけない。
【００２１】
好ましくは、前記切り欠きと前記針管の軸心線との距離は所定の距離である。
【００２２】
好ましくは、前記使い捨て針刺し防止静脈輸液用穿刺針は、さらにハンドルを具備し、前記第２のスライダに少なくとも１つの滑り止め領域が設けられ、
前記スライダは弾性材料でできており、前記スライダと前記弾性係止部は一体成形され、前記針基と前記係止溝は一体成形され、
前記ハンドルは、前記針基の前記チューブに接続される方の端に固定され、
前記位置留めは、前記第１のスライダまたは前記針基に円周状に設けられた少なくとも１つのストッパをさらに含み、前記ストッパは、前記係止溝と前記弾性係止部が係合した後、前記第１のスライダ、前記第２のスライダが引張力の作用下で離脱することを防止する。
【００２３】
ここで、ストッパは、さらにスライダ、針基の直接的な離脱を防止できる、任意のストッパ構造でよい。例えば、針基と第１のスライダの針管側の一端の外壁に環状留め輪が設けられ、第１のスライダと第２のスライダのチューブ側の一端の内壁に２つの突起が設けられ、引っ張られると、第１、第２のスライダの内壁にある２つの突起により環状留め輪に係止される。
【発明の効果】
【００２４】
本発明は、複数のスライダを設置して針基に多重に嵌挿することにより、本発明の使い捨て針刺し防止静脈輸液用穿刺針の操作部位の長さがより短くなり、かつ各層のスライダの展開により、使用中および使用後に針管を遮蔽し、安全性を向上させ、患者の苦痛を軽減するという積極的な効果を有する。
【図面の簡単な説明】
【００２５】
【図１】本発明の好ましい実施例の使い捨て針刺し防止静脈輸液用穿刺針の展開したときの平面図である。
【図２】本発明の好ましい実施例の使い捨て針刺し防止静脈輸液用穿刺針の縮み込んだときの平面図である。
【図３】本発明の好ましい実施例の使い捨て針刺し防止静脈輸液用穿刺針の概略構成図である。
【図４】本発明の好ましい実施例の使い捨て針刺し防止静脈輸液用穿刺針の概略構成図である。
【図５】図１のＡ−Ａ線断面図である。
【発明を実施するための形態】
【００２６】
以下、実施例に基づいて本発明をさらに説明するが、本発明は下記実施例の範囲内に限定されるものではない。
【００２７】
図１は本実施例の針刺し防止静脈輸液用穿刺針を展開したときの平面図であり、図２は本実施例の使い捨て針刺し防止静脈輸液用穿刺針が収縮したときの平面図である。図１〜２に示すように、本実施例に係る使い捨て針刺し防止静脈輸液用穿刺針は、針基３、針鞘８、チューブ６および針管４を含み、針鞘８で針管４を被覆し、チューブ６が針基３に連通し、針基３が筒状であり、針基３の一端が針管４に連通するように固定され、他端がチューブ６に接続される。
【００２８】
図３〜４は本発明の好ましい実施例の使い捨て針刺し防止静脈輸液用穿刺針の概略構成図であり、図５は図１のＡ−Ａ線断面図であり、図３〜５に示すように、本実施例に係る使い捨て針刺し防止静脈輸液用穿刺針は、針基３の外側に移動可能に被さったスライダ１と、スライダ１の外側に移動可能に被さったスライダ２とをさらに含む。
【００２９】
スライダ１とスライダ２は、互いに嵌挿され、両端が開口した筒状であり、最内層に位置するスライダ１が針基３に移動可能に被さり、スライダ１とスライダ２の移動方向における全長が針管４の長さより長い。
【００３０】
弾性係止部１３、弾性係止部２１、係止溝３１、係止溝３２、係止溝１１、および係止溝１２は、位置留めとして針基３、スライダ１およびスライダ２に設けられ、スライダ１とスライダ２の展開後または収縮状態で、スライダ１、スライダ２および針基３を互いに係合させるように固定する。
【００３１】
係止溝３１と係止溝３２とが針基３に設けられ、弾性係止部１３がスライダ１に設けられ、係止溝１１と係止溝１２とがスライダ１の外周に設けられ、弾性係止部２１がスライダ２に設けられ、弾性係止部１３、弾性係止部２１、係止溝３１、係止溝３２、係止溝１１、係止溝１２は、スライダ１とスライダ２がスライドして針管４を完全に遮蔽するかまたは針管が完全に露出した場合に、互いに係合してスライダ１とスライダ２の移動を抑止する。
【００３２】
スライダ１に弾性ストッパ１４がさらに設けられ、弾性ストッパ１４は、スライダ１とスライダ２がスライドして針管４を完全に遮蔽した際に、スライダ２が弾き出されてチューブ６の方向へ後退することを抑止する。
【００３３】
スライダ２のチューブ６側の一端に、滑らかな突出部２２が環状に設けられ、突出部２２は、針管４を人体に差し込む時に、皮膚がスライダ１とスライダ２との隙間に挟まることを防止する。
【００３４】
スライダ１とスライダ２と針基３はスライド可能に嵌合されるので、スライダ１とスライダ２との間、スライダ１と針基３との間に、必ず隙間が存在する。これらの隙間は、操作過程で患者の皮膚を挟んで、患者に苦痛を与えることがよくある。突出部２２が設けられると、突出部２２は操作中に患者の皮膚に当接して、皮膚に僅かな窪みを形成するので、突出部２２に接触する部位の回りの皮膚がスライダ１とスライダ２と針基との隙間付き接合部に接触することを抑止して、皮膚が隙間に挟まれにくくなる。
【００３５】
スライダ２の側面に平滑面２３が設けられ、平滑面２３と針管４の軸心線は５°の角度をなす。スライダ２の平滑面２３側に切り欠きが設けられ、この切り欠きがある平面は針管４の軸心線と平行である。切り欠きの一端がスライダ２のチューブ６から離れた側の開口まで延伸し、他端が平滑面２３と交差するまで延伸する。切り欠きと針管４の軸心線との距離は０．５ｍｍである。
【００３６】
本実施例に係る使い捨て針刺し防止静脈輸液用穿刺針は、さらにハンドル５を具備し、スライダ２に少なくとも一つの滑り止め領域２４（図４参照）が設けられる。スライダ１とスライダ２は弾性材料で作られ、かつ、弾性係止部と一体成形され、針基３は係止溝３２と一体成形され、ハンドル５は針基３のチューブ６に接続された一端に固定される。
【００３７】
使用前、スライダ１、スライダ２は針基３の外側に積層して被さり、収縮状態にある。このとき、針管４が外部に露出しているが、針鞘８で針管４を被覆することにより針管４を遮蔽することができる。使用時には、針鞘８を取り外して輸血などの作業を行い、作業の完了後、針管４を抜く過程で、筒状のスライダ１、スライダ２をスライドして展開した後、スライダ１、スライダ２および針基３に設けられた位置留め（弾性ストッパ、弾性係止部等）により端と端を接続するように固定するとともに、針管４を遮蔽して針管４による操作者または患者の受傷を回避する。このように、針管を抜く時に、安全性を保証するとともに、従来の技術における針管の急な跳ね返りによる患者の苦痛を回避する。
【００３８】
また、スライダ１、スライダ２が展開する過程で、針管４をできるだけ患者の皮膚へ接近させる必要があるので、スライダ１、スライダ２の直径が大きすぎると、要件を満たすことができない。このため、スライダ２に平滑面３を設けることにより、スライダ１、スライダ２の展開過程でも針管４が皮膚に接近できる。平滑面２３の針管の軸心線近傍の位置に切り欠きを開設することにより、針管が皮膚に接近するという要件をさらに満たし、患者の苦痛を軽減することができる。
【００３９】
また、スライダ１と針基に、いずれもストッパとしての突起と環状留め輪構造（図示せず）が環状に設けられ、針基とスライダ１の針管側の一端の外壁に環状留め輪が設けられ、スライダ１とスライダ２は、チューブ側の端部の内壁に２つの突起を有し、牽引されると、内壁にある２つの突起により環状留め輪に係止され、係止溝と弾性係止部が係合した後、引張力が作用して、スライダ１、スライダ２が外れないようにする。
【００４０】
以上、本発明の具体的な実施形態を記載したが、これは、例を挙げて本発明を説明したものに過ぎず、当業者は、本発明の保護範囲は添付の特許請求の範囲によって限定されると理解すべきである。当業者であれば、本発明の原理および主旨から逸脱しない範囲で、これらの実施形態に対して、例えば、弾性係止部と係止溝のような係止構造の代わりに、弾性ワッシャの相互係合などの方式でスライダを針基に締め付けるなど、多様な変形または修正を行うことができるが、このような変形および修正はいずれも本発明の保護範囲内に属する。
【図１】
0006286063.tif 000002
【図２】
0006286063.tif 000003
【図３】
0006286063.tif 000004
【図４】
0006286063.tif 000005
【図５】
0006286063.tif 000006